(57)【要約】【課題】被服への取り付け、装着が容易で、しかも肌へのフィット性が優れた吸収性物品とする。【解決手段】フラップ部Ｆ２を、使用状態において肌面と接するように本体部Ｈから側方に延出するシート素材Ｓと、このシート素材Ｓに、本体部Ｈ幅方向と交差する方向へ伸張した状態で固定された伸縮素材５１とで構成する。【選択図】図５
2005287843.tif 000002
【特許請求の範囲】
【請求項１】
体液吸収部を有する本体部とその側方に設けられたフラップ部とを有し、このフラップ部が、少なくとも使用状態において肌面と接するようにかつ前記本体部側方への体液の漏れを受けるように延出され、前記本体部の外面に重なる方向に折り返されないものである、吸収性物品であって、
前記フラップ部が、使用状態において肌面と接するように延出するシート素材と、このシート素材に、前記本体部幅方向と交差する方向へ伸張した状態で固定された伸縮素材とを有する、ことを特徴とする吸収性物品。
【請求項２】
伸縮素材が、本体部とシート素材の境界から２０ｍｍ以上離れた位置に取り付けられている、請求項１記載の吸収性物品。
【請求項３】
伸縮素材が、シート素材の側端縁から２０ｍｍ以内の位置に取り付けられている、請求項１又は請求項２記載の吸収性物品。
【請求項４】
伸縮素材の伸縮強度は、本体部から近い側の部位に比して前記本体部から遠い側の部位の方が強い、請求項１〜３のいずれかに記載の吸収性物品。
【請求項５】
伸縮素材の固定時の伸張方向が、少なくとも２方向以上とされている、請求項１〜４のいずれかに記載の吸収性物品。
【請求項６】
伸縮素材が、太さ３５０〜４２０ｄｅｔｅｘの糸ゴムとされている、請求項１〜５のいずれかに記載の吸収性物品。
【請求項７】
物品本体の幅方向中央部から伸縮素材までの距離が、８０ｍｍ以上とされている、請求項１〜６のいずれかに記載の吸収性物品。
【発明の詳細な説明】
【技術分野】
【０００１】
本発明は、生理用ナプキン、尿取りパッド、失禁パッドのような、パッド型の吸収性物品に関するものである。より詳しくは、体液吸収部を有する本体部とその側方に設けられたフラップ部とを有し、通常、股間部に配設される吸収性物品に関するものである。
【背景技術】
【０００２】
この種の吸収性物品のフラップ部には、例えば、生理用ナプキンなどでよく見られるような、ショーツの外面に重なる方向に折り返すタイプのもの（以下、単に「折返しフラップ部」ともいう。）と、長時間用生理用ナプキンなどでよく見られるような、ショーツの外面に重なる方向に折り返されず、使用状態において肌面と接するようにかつ本体部の周囲への体液の漏れを受けるように延出されるもの（以下、単に「カバーフラップ部」ともいう。）と、がある。両者は、機能的な観点から明確に区別される。
すなわち、前者は、物品をショーツに固定することをその主要機能とするものであり、後者は、体液吸収部を有する本体部から漏れた経血や、おりもの、尿などの体液がショーツ等の被服に移るのを防止することをその主要機能とするものである。
【０００３】
後者のカバーフラップ部としては、従来、本体部の後より両側方に設けられた、いわゆるヒップホールドなどといわれるものが一般的なものであった（例えば、特許文献１参照）。しかしながら、近年では、例えば、本体部の前より両側方などにもカバーフラップが設けられはじめており、また、各カバーフラップ部が大型化する傾向にある。
【０００４】
カバーフラップ部が、大型化し、あるいは後ろより両側方以外の部位にも設けられていると、著しく優れた体液の漏れ防止効果を期待することができる。しかしながら、カバーフラップ部の数が増え、あるいは大型化すると、フラップ部のヨレが生じやすくなるため、被服への取り付け、装着に手間がかかり、また、肌へのフィット性が低下することになる。
【特許文献１】特開２００３−２８４７４１号公報
【発明の開示】
【発明が解決しようとする課題】
【０００５】
本発明の主たる課題は、被服への取り付け、装着が容易で、しかも肌へのフィット性が優れた吸収性物品とすることにある。
【課題を解決するための手段】
【０００６】
この課題を解決した本発明は、次のとおりである。
〔請求項１記載の発明〕
体液吸収部を有する本体部とその側方に設けられたフラップ部とを有し、このフラップ部が、少なくとも使用状態において肌面と接するようにかつ前記本体部側方への体液の漏れを受けるように延出され、前記本体部の外面に重なる方向に折り返されないものである、吸収性物品であって、
前記フラップ部が、使用状態において肌面と接するように延出するシート素材と、このシート素材に、前記本体部幅方向と交差する方向へ伸張した状態で固定された伸縮素材とを有する、ことを特徴とする吸収性物品。
【０００７】
〔請求項２記載の発明〕
伸縮素材が、本体部とシート素材の境界から２０ｍｍ以上離れた位置に取り付けられている、請求項１記載の吸収性物品。
【０００８】
〔請求項３記載の発明〕
伸縮素材が、シート素材の側端縁から２０ｍｍ以内の位置に取り付けられている、請求項１又は請求項２記載の吸収性物品。
【０００９】
〔請求項４記載の発明〕
伸縮素材の伸縮強度は、本体部から近い側の部位に比して前記本体部から遠い側の部位の方が強い、請求項１〜３のいずれかに記載の吸収性物品。
【００１０】
〔請求項５記載の発明〕
伸縮素材の固定時の伸張方向が、少なくとも２方向以上とされている、請求項１〜４のいずれかに記載の吸収性物品。
【００１１】
〔請求項６記載の発明〕
伸縮素材が、太さ３５０〜４２０ｄｅｔｅｘの糸ゴムとされている、請求項１〜５のいずれかに記載の吸収性物品。
【００１２】
〔請求項７記載の発明〕
物品本体の幅方向中央部から伸縮素材までの距離が、８０ｍｍ以上とされている、請求項１〜６のいずれかに記載の吸収性物品。
【発明の効果】
【００１３】
本発明によると、被服への取り付け、装着が容易で、しかも肌へのフィット性が優れたものとなる。
【発明を実施するための最良の形態】
【００１４】
以下、本発明の実施の形態を、生理用ナプキンを例に説明する。
ただし、本発明は、生理用ナプキンに限らず、例えば、尿取りパッドや、失禁パッドなどで、カバーフラップ部を有し、通常、股間部に配設されるパッド型の吸収性物品一般に、適用することができる。
【００１５】
〔生理用ナプキンの形状〕
図１に本形態の生理用ナプキン１の展開状態での体液吸収側面を、図２にその反対側面、すなわち外装面を、それぞれ示した。また、図４の（１）に、図１のIII−III断面図を、模式的に示した。
本生理用ナプキン１は、裏面シート２及び透液性トップシート３を有する。これら両シート２，３の間の幅方向中央には、吸収コア及びこれを包むクレープ紙を有する吸収体ＡＢが介在されており、体液吸収部を構成している。クレープ紙５により、吸収コア４の形状保持、体液の拡散性向上、体液の逆戻り防止、が図られている。
【００１６】
ただし、この体液吸収部は、この形態に限定されない。例えば、クレープ紙５（クレープ紙５を有しない場合は、吸収コア４）と、透液性トップシート３との間に、厚手の親水性不織布からなる吸収促進シートなどを介在させることもできる。吸収促進シートを介在させることにより、経血やおりもの等の体液が、速やかに吸収されるようになるので、肌と接触する表面のドライタッチ性が優れたものとなる。この吸収促進シートは、長手方向中央部に位置させるものの、前方側に長く延在させた前寄りに偏在した形態にすると、より確実にドライタッチ性が得られることになる。
【００１７】
このようにしてなる体液吸収部を有する幅方向中央部分が、本ナプキン１の本体部Ｈを構成する。
【００１８】
本ナプキン１においては、図４の（１）に示すように、透液性トップシート３が、吸収体ＡＢを若干スケールアップした形状とされており、吸収体ＡＢの表面全体を覆うように配置されている。この透液性トップシート３には、エンボスを付与することができる。このエンボスの形状、大きさなどは、特に限定されず、例えば、後述するカバーフラップ部Ｆ２の肌側表面に付与するエンボス凹部ｅｂと同様とすることもできる。
【００１９】
ただし、図示例では、透液性トップシート３の体液対応部を跨ぐ両側部に、ほぼ長手方向に沿うエンボスによるサイド条溝８，８が、それぞれ形成されている。また、これらサイド条溝８，８の前後端部間を繋ぐように、幅方向に弧状に延びるエンボスによるフロント条溝１０Ｆ及びバック条溝１０Ｂが、それぞれ形成されている。さらに、フロント条溝１０Ｆと長手方向中間部との間には、幅方向に弧状に延びるエンボスによる前漏れ防止条溝１１が形成されている。加えて、この前漏れ防止条溝１１の長手方向位置と製品の長手方向中間部との間の、サイド条溝８，８の外側には、このサイド条溝８，８に沿って延在するエンボスによるサイド補助条溝９，９が、それぞれ形成されている。これらの条溝８，９，１０Ｆ，１０Ｂ，１１は、体液が体液対応部から外方に拡散するのを防止するためのものである。
これらの条溝８，９，１０Ｆ，１０Ｂ，１１は、該当部の各シートを重ねた状態で、使用面側から加熱しながらエンボス（いわゆる熱融着エンボス）することにより、形成することができる。これらの条溝８，９，１０Ｆ，１０Ｂ，１１は、エンボス形態に限定はなく、吸収コア４が圧縮される形態で圧搾されたものであれば足りるが、条溝の長さ方向に、高圧搾部（高密度部）と低圧搾部（低密度部）とが交互に現れる形態とすると、好ましいものとなる。
【００２０】
一方、裏面シート２は、本ナプキン１の平面形状と同じ形状とされており、その両側部が、吸収体ＡＢの両側縁よりも側方に延出している。この両延出部の表面側には、その全体を覆うように、サイドシート６，６が積層され接合されている。
【００２１】
このサイドシート６，６と、裏面シート２の両延出部との接合手法は、特に限定されず、例えば、ホットメルト接着、超音波シール、ヒートシール（熱融着）、ヒートプレス（熱圧着）又はこれらの組み合わせによることができる。
ただし、製品周縁部、具体的には、図１及び図２に示すように、サイドシート６，６と裏面シート２延出部の自由端縁ｂ１，ｂ１、及び、トップシート３と裏面シート２の前後端縁ｂ２，ｂ２は、ヒートシールによって強固に接合するのが好ましい。
【００２２】
サイドシート６，６と裏面シート２延出部の接合の幅は、少なくとも２ｍｍ以上確保するのが好ましい。また、サイドシート６，６と裏面シート２延出部の接合の幅は、最大１０ｍｍ未満とするのが好ましく、最大５ｍｍ未満とするのがより好ましい。接合の幅が、２ｍｍ未満であると、装着時、装着後において、接合が外れ、装着者に違和感を与える可能性がある。他方、接合の幅が、広すぎると、この接合を原因とする違和感を装着者に与える可能性がある。
【００２３】
本ナプキン１においては、裏面シート２とサイドシート６，６との積層部分のうち、特に、本ナプキン１の中央部よりやや前側に位置する股間部、及び、本ナプキン１の後側に位置するヒップ部が、それぞれ吸収体ＡＢの側方に大きく延出している。そして、この各延出部分の裏面シート２及びサイドシート６，６をシート素材として、折返しフラップ部Ｆ１又はヒップ用カバーフラップ部Ｆ２が、それぞれ形成されている。
【００２４】
ただし、本発明の吸収性物品は、本体部Ｈの側方にカバーフラップ部が設けられていればよく、例えば、折返しフラップ部は、設けられていなくてもよい。また、カバーフラップ部は、その配設位置が、特に限定されず、例えば、本体部Ｈの前方あるいは後方に延出する形態とすることや、図１の折返しフラップ部Ｆ１，Ｆ１を折り返さないものとして股間部から側方に延出する形態とすることもできる。さらに、カバーフラップ部は、その大きさも、特に限定されず、例えば、カバーフラップ部Ｆ２，Ｆ２が、折返しフラップ部Ｆ１，Ｆ１が形成される位置まで延在する形態とすることや、さらには前端部側方まで延在する形態とすることもできる。
【００２５】
一方、フラップ部Ｆ１，Ｆ１やＦ２，Ｆ２の裏面、すなわち裏面シート２の表面には、図２に示すように、粘着剤層２０を設け、この粘着剤層２０によって、本物品１をショーツ等の被服に止着することができる。また、フラップ部Ｆ１，Ｆ１やＦ２，Ｆ２は、製品提供段階では本体部Ｈ裏面側に折り畳み、本体部Ｈ裏面に粘着固定しておくことができる。ただし、カバーフラップ部Ｆ２，Ｆ２は、少なくとも使用状態では、前述したように肌面と当接するように戻される。
【００２６】
本形態のように、フラップ部Ｆ１，Ｆ１やＦ２，Ｆ２の裏面に粘着剤層２０を設ける場合、サイドシート６，６には、エンボス加工等の凹凸形成処理をして、例えば、エンボス凹部ｅｂを多数形成しておき、他方、裏面シート２には、エンボス加工等の凹凸形成処理をしないで、伸縮素材５１によるしわを除いては、実質的に凹凸を有しない状態としておくのが好ましい。この形態によると、裏面シート２のしわが形成されている部位以外には、粘着剤層２０を密着させることができ、粘着剤層２０を被服外面に粘着させた後、取り外した場合に、粘着剤層２０の一部が被服外面に残ってしまうような事態を避けることができる。
【００２７】
また、この形態によると、カバーフラップ部Ｆ２，Ｆ２の肌側表面に、エンボス凹部ｅｂが多数形成された状態となるので、このエンボス凹部ｅｂによって、体液の拡散が抑制される。この拡散抑制効果は、体液の粘性に関わらず発揮される。
【００２８】
エンボス凹部ｅｂは、図示例のように、間欠的に多数配列されていても、線状に連続していてもよい。また、凹部ｅｂの周縁は、角を有していても、有していなくてもよいが、肌触りの面からは、角を有しない曲線とするのが好ましい。さらに、エンボス凹部ｅｂは、図示例のように異なる形状のものを組み合わせたパターンとすることも、図示はしないが、同一形状のもののみとしたパターンとすることもできる。体液の拡散抑制という観点からは、図示例のように凹部ｅｂが、製品長手方向又は巾方向に対して非平行な方向に沿って配列、延在（溝状の場合）する形態とするのが好ましく、図示例のように凹部の配列、延存方向が交差する形態とするのがより好ましい。
【００２９】
なお、本形態によると、折返しフラップ部Ｆ１，Ｆ１の表面にも凹部ｅｂが形成されるが、折返しフラップ部Ｆ１，Ｆ１は、被服の外側に折り返され、そこに体液が漏れ出てくることはほとんどないため、折返しフラップ部Ｆ１，Ｆ１に形成された凹部ｅｂの体液拡散抑制機能は、実質的に意味をなさなくなる。しかしながら、製造手法の都合等によっては、このように折返しフラップ部Ｆ１，Ｆ１に、凹部ｅｂが形成されていてもよい。
【００３０】
ところで、本形態のカバーフラップ部Ｆ２，Ｆ２は、図１において紙面右側に延出するものを例に、図５の（１）〜（７）に示すように、裏面シート２及びサイドシート６，６からなり、使用状態において肌面と接するように延出するシート素材Ｓのほか、このシート素材Ｓに、本体部Ｈ幅方向と交差する方向へ伸張した状態で固定された伸縮素材５１を有する。
伸縮素材５１は、例えば、図５の（１）に平面模式図を、図３の（１）に断面模式図を示すように、シート素材Ｓの本体部Ｈ側、側端部に、本体部Ｈ前後方向へ伸張した状態で固定することや、図５の（２）に平面模式図を、図３の（３）に断面模式図を示すように、シート素材Ｓの自由端側、側端部に、本体部Ｈ前後方向へ伸張した状態で固定することや、平面図は示さないが断面模式図を図３の（２）に示すように、シート素材Ｓの中央部に、本体部Ｈ前後方向へ伸張した状態で固定することや、断面図は示さないが平面模式図を図５の（３）に示すように、シート素材Ｓに、前端側かつ本体部側から後端側かつ自由端部側にかけて延在するように配設し、この延在方向へ伸張した状態で固定すること、などができる。もちろん、以上のほかにも、伸縮素材５１を、例えば、図３の（４）に示すように、シート素材Ｓの本体部Ｈ側、側端部及び自由端側、側端部に、それぞれ本体部Ｈ前後方向へ伸張した状態で固定することや、図３の（５）に、自由端側、側端部に固定する場合を例に示すように、各位置に２つ、３つ、４つ又はそれ以上の複数を固定することもできる。これらの例に示すように、伸縮素材５１を、本体部Ｈ幅方向と交差する方向へ伸張した状態で固定すると、次のような点で好ましいものとなる。
【００３１】
すなわち、一般的に、生理用ナプキンの被服への取り付けは、被服を完全には脱がず、股間部から脚部まで下ろした状態で行う。したがって、生理用ナプキンの取り付けは、よれた状態にある被服に対して行わなければならないことになる。一方、従来の生理用ナプキンは、被服に取り付けようとすると、フラップ部Ｆ２，Ｆ２が肌面から遠い方にヨレてしまう。したがって、従来の生理用ナプキンによると、よれた状態にある被服に、よれたフラップ部Ｆ２，Ｆ２を有する生理用ナプキンを取り付けるということになるため、取り付けに大変手間がかかる。特に、前述した粘着剤層２０を設ける形態においては、粘着剤層２０を被服の適切な位置に粘着させなければならないため、よりいっそう手間がかかる。しかしながら、本形態では、本体部Ｈ側方に延出するシート素材Ｓに、本体部Ｈ幅方向と交差する方向へ伸張した状態で伸縮素材５１が固定されているので、装着時に本体部Ｈが、前後方向に関して、舟形に湾曲すると、シート素材Ｓが、肌面側に立ち上がる。したがって、本形態の生理用ナプキンによると、フラップ部Ｆ２，Ｆ２を、被服に対して、適切に一致さる必要はなく、そのまま被服を脚部から股間部にまで持ち上げれば、フラップ部Ｆ２，Ｆ２が、まず肌にフィットし、続けて被服が、その上を覆うことになるので、極めて装着が容易である。特に、粘着剤層２０を設ける形態においては、自然に、かつ適切にフラップ部Ｆ２，Ｆ２が、被服に粘着させられることになるので、この効果は、極めて大きいものといえる。
【００３２】
以上のように、本体部Ｈの側方に延出するフラップ部Ｆ２，Ｆ２に、伸縮素材５１を、本体部Ｈ幅方向と交差する方向へ伸張した状態で固定する場合は、伸縮素材５１を、本体部から近い側の部位に比して本体部から遠い側の部位の方が、伸縮強度が強くなるように、固定するのが好ましい。このような固定形態とすると、フラップ部Ｆ２が、その延出方向に関して、お椀状に起立することになるため、肌へのフィット性が向上し、また、体液の漏れ防止効果も向上することになる。
【００３３】
伸縮素材５１を、本体部Ｈから近い側の部位に比して本体部Ｈから遠い側の部位の方が、伸縮強度が強くなるように、固定する形態としては、例えば、１枚の帯状ないしシート状の伸縮素材を、本体部Ｈから近い側の端部に比して本体部から遠い側の端部をより伸張させて固定する形態などが考えられる。
【００３４】
ただし、この形態によると、伸縮強度差によっては、ゆがみが生じる可能性があるので、図６の（１）に示すように、伸縮素材を２つ、３つ、４つ又はそれ以上の複数、図示例では３つ用意し、本体部Ｈから近い側の伸縮素材５１ｎと、本体部Ｈから遠い側の伸縮素材５１ｆと、で伸縮強度を変化させる形態とするのが好ましい。
【００３５】
また、伸縮素材５１を、本体部Ｈ幅方向と交差する方向へ伸張した状態で固定する形態としては、伸縮素材５１の固定時の伸張方向を、２方向、３方向、４方向又はそれ以上の複数方向とする形態も考えられる。
【００３６】
伸縮素材５１の固定時の伸張方向を、少なくとも２方向以上とする形態としては、図５の（４）に、２方向の場合を例に示すように、シート素材Ｓに、前端側かつ本体部側から後端側かつ自由端部側にかけて延在するように配設し、この延在方向へ伸張した状態で固定した伸縮素材５１ｍと、シート素材Ｓに、前端側かつ自由端部側から後端側かつ本体部側にかけて延在するように配設し、この延在方向へ伸張した状態で固定した伸縮素材５１ｎと、を設ける形態が考えられる。
ただし、この形態のように伸張方向の数に応じた伸縮素材５１を用意する必要はなく、例えば、図５の（５）に示すように（なお、図５の（１）〜（７）では、伸張方向を、二点鎖線で示している。）、１枚の帯状ないしシート状の伸縮素材５１を、２方向、３方向、４方向又はそれ以上の複数方向、図示例では２方向に伸張させて固定する形態などが考えられる。
【００３７】
伸縮素材５１を、本体部Ｈ幅方向と交差する方向へ伸張した状態で固定する形態として、以上では、伸張方向を１方向とする形態及び２方向以上の複数方向とする形態のいずれにおいても、伸張方向が直線的になる場合を説明した。ただし、これに限定する趣旨ではなく、例えば、図５の（６）に示すように、伸張素材５１をシート素材Ｓの自由端側端縁に沿って延在するように、つまり弓なりに延在するように配設し、この延在方向に伸張した状態で固定することも考えられる。
【００３８】
そして、伸縮素材５１を、伸張方向が直線的になるように固定するか、あるいは弓なりになるように固定するかなどに関らず、図６の（２）に示すように、シート素材Ｓの端縁から１つの伸縮素材５１までの距離Ｌが、２０ｍｍ以内とされているのが好ましく、１０ｍｍ以内とされているのがより好ましく、５ｍｍ以内とされているのが特に好ましい。距離Ｌが、２０ｍｍ以内とされていると、伸縮素材５１の固定によって形成されるシート素材Ｓのしわが小さくなるため、装着者に違和感を与えないものとなる。
【００３９】
伸縮素材５１が、シート素材Ｓの端縁から、いかなる形態で、例えば、２０ｍｍ以内とされているかは、特に限定されない。例えば、先の図６の（２）に示すような、単にシート素材Ｓを構成するシートの端縁から２０ｍｍ以内に伸縮素材５１を固定した形態のほか、図６の（３）〜（５）に示すような、シート素材Ｓを構成するシートの端部Ｓａを折り返し、伸縮素材５１が、シート素材Ｓの端縁から２０ｍｍ以内となるようにした形態も考えられる。
【００４０】
また、この後者の形態においては、シート素材Ｓを構成するシートの端部Ｓａを、図６の（３）に示すように、肌面（表面）側に折り返すことも、図６の（４）及び（５）に示すように、裏面側に折り返すこともできる。肌面（表面）側に折り返すと、体液の漏れ防止効果に優れ、裏面側に折り返すと、肌触り性に優れることになる。
【００４１】
さらに、以上の折り返しによる形態においては、裏面側に折り返す形態を例に説明すると、図６の（４）に示すように、伸縮素材５１を、シート素材Ｓを構成する複数のシートの、図示例では２枚のシートの間に介在させ、この介在位置を起点に折り返すことも、図６の（５）に示すように、シート素材Ｓの裏面、つまり裏面側に配設されたシートの表面に伸縮素材５１を備え、この伸縮素材５１を包み込むように折り返すこともできる。
【００４２】
このほか、従来の物品の製造工程をできる限り変更したくない場合などにおいては、例えば、図６の（６）に示すように、シート素材Ｓの裏面、つまり裏面側に配設されたシートの表面に伸縮素材５１を備え、この伸縮素材５１を覆うように、別のシート素材Ｓｂを接合することなどが考えられる。
【００４３】
シート素材Ｓの自由端側端縁から、２０ｍｍ以内に伸縮素材５１を取り付ける形態においては、伸縮素材５１が、太さ３５０〜４２０ｄｅｔｅｘの糸ゴムとされているのが好ましく、太さ３８０〜４００ｄｅｔｅｘの糸ゴムとされているのがより好ましい。３５０ｄｅｔｅｘ以上とするのは、起立の促進という観点からである。他方、４２０ｄｅｔｅｘ以下とするのは、しわが深くなり、着用者に違和感を与えるのを防止するためである。
【００４４】
他方、本形態において、伸縮部材５１を、本体部Ｈ幅方向と交差する方向へ伸張した状態で固定するのは、前述したようにシート素材Ｓ（フラップ部Ｆ２）を、起立させるためである。したがって、伸縮素材５１は、その一部が、シート素材Ｓ上に固定されていればよく、例えば、図５の（７）に示すように、伸縮素材５１を、本体部Ｈとシート素材Ｓ（フラップ部Ｆ２）とに跨った状態で固定することもできる。
【００４５】
ただし、本体部Ｈとシート素材Ｓの境界から、伸縮素材５１までの距離Ｙ（図５の（１）参照）を、１０ｍｍ以上設けるのが好ましく、２０ｍｍ以上設けるのがより好ましい。距離Ｙを１０ｍｍ以上とすると、この領域がお椀状に陥没することになるため、漏れ防止効果を高めることができる。また、物品本体Ｈの幅方向中央部から伸縮素材５１までの距離Ｙを、８０ｍｍ以上にすると、以上のようにして形成されるお椀状の領域で、臀部がすっぽりと包まれ、しかも伸縮素材５１の固定部が肌面（臀部）側に起立することになるため、装着容易で、しかもフィット性が向上することになる。
【００４６】
〔その他〕
（１）本形態では、カバーフラップ部Ｆ２，Ｆ２のシート素材Ｓが、裏面シート２及びサイドシート６，６で構成される形態を示したが、これに限定する趣旨ではない。例えば、図３の（６）に示すように、サイドシート６を配設せず、透液性トップシート３を本体部Ｈの側方にまで延出させ、この延出部分と裏面シート２とで、シート素材Ｓが構成される形態とすることもできる。また、この他にも、例えば、サイドシート６を省略せず、サイドシート６の上に、又はサイドシート６と裏面シート２との間にトップシート３を延出させることや、シート素材Ｓを、２層、３層、４層又はそれ以上の複数層とすることもできる。
【００４７】
（２）本形態では、図１及び図４の（１）に示すように、吸収体ＡＢの両側部に、本ナプキン１の長手方向（前後方向）に延在する横漏れ防止バリヤー３０，３０が設けられている。本バリヤー３０，３０は、本ナプキン１の長手方向に延在し、かつ幅方向一端部が吸収体ＡＢの側部に固定され、他端部が自由端とされたバリヤーシート３１，３１と、このバリヤーシート３１，３１の自由端側部分に、長手方向に沿って伸張状態で固定された弾性伸縮部材３２，３２と、から主になる。バリヤーシート３１，３１は、長手方向前後端部が、折り重ねられた状態で相互に接合されているが、中間部分は、接合されていない。したがって、使用状態においては、図４の（１）に示すように、弾性伸縮部材３２，３２の収縮力によって、バリヤーシート３１，３１の中間部分が起立し、体液の横漏れが防止される。本形態では、バリヤーシート３１，３１を、幅方向中間部が外側に延出するように折り重ねているが、例えば、図４の（２）に示すように、幅方向中間部が内側に延出するように折り重ねることもできる。また、図４の（３）及び（４）に示すように、サイドシート６，６の幅方向内側部分を、吸収体ＡＢの側縁より内方にまで延在させ、この延在部分をバリヤーシート３１，３１に替えて利用し、バリヤーカフス３０，３０とすることもできる。
【００４８】
〔生理用ナプキンの各素材〕
次に、本物品１を各素材について、説明する。
（透液性トップシート３）
トップシート３の素材は、体液を透過する性質を有するものであればよく、その種類は特に限定されない。例えば、有孔又は無孔の不織布や、多孔性プラスチックシートなどを例示することができる。ただし、本ナプキン１においては、多孔性プラスチックシートであると、特に好ましいものとなる。
【００４９】
不織布を用いる場合、その素材繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などであっても、これらから二種以上が使用されたものであってもよい。また、不織布は、どのように加工されたものであってもよい。加工方法としては、公知の方法、例えば、スパンレース法、スパンボンド法、サーマルボンド法、メルトブローン法、ニードルパンチ法等を例示することができる。例えば、柔軟性、ドレープ性を求めるのであれば、スパンレース法による不織布であるのが好ましく、嵩高性、ソフト性を求めるのであれば、サーマルボンド法による不織布であるのが好ましい。
【００５０】
（裏面シート２）
裏面シート２の素材は、体液を透過しない性質を有するものであるのが好ましく、その種類は特に限定されない。例えば、ポリエチレンやポリプロピレン等のオレフィン系樹脂シートや、ポリエチレンシート等に不織布を積層したラミネート不織布、防水フィルムを介在させて実質的に不透液性を確保した不織布（この場合は、防水フィルムと不織布とで不透液性裏面シートが構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。
【００５１】
（吸収コア４）
吸収コア４の素材は、体液を吸収する性質を有するものであればよく、その種類は特に限定されない。例えば、綿状パルプや合成パルプなどのパルプ単体からなるものや、フラッフ状パルプ中に、粒状粉などとされた吸水性ポリマーが混入されたものを例示することができる。これらのパルプの原料繊維としては、機械パルプ、化学パルプ、溶解パルプ等の木材から得られるセルロース繊維や、レーヨン、アセテート等の人工セルロース繊維などを例示することができる。ただし、セルロース繊維の原材料となる木材は、広葉樹より針葉樹の方が、繊維長が長いため、機能及び価格の面で好ましいものとなる。
【００５２】
（サイドシート６）
サイドシート６の素材は、体液を透過する性質を有するものであっても、体液を透過しない性質を有するものであってもよく、その種類は特に限定されない。例えば、透液性トップシート３や不透液性裏面シート２と同様の素材を例示することができる。
ただし、肌触りや擦れによるカブレ防止等の観点からは、不織布であるのが好ましく、エアスルー不織布等のような嵩高な不織布であるのがより好ましい。
【００５３】
また、重要視する機能に応じて、それぞれ撥水処理不織布又は親水処理不織布が、単独で用いられたもの又は組み合わせて用いられたものであるのが好ましい。具体的には、例えば、体液の浸透防止や、肌触り感の向上などを重要視するのであれば、シリコン系、パラフィン系、アルキルクロミッククロリド系撥水剤などがコーティングされた撥水処理不織布であるのが好ましい。一方、体液の吸収性を重要視するのであれば、合成繊維の製造過程で、例えば、ポリエチレングリコールの酸化生成物などの親水基を持つ化合物を、共存させて重合させる方法や、合成繊維表面を、塩化第２スズなどの金属塩で部分溶解して多孔性とし、金属の水酸化物を沈着させる方法などによって、合成繊維を膨潤又は多孔性とした、毛細管現象を応用して親水性が与えられた親水処理不織布であるのが好ましい。
【００５４】
もっとも、サイドシート６の素材としては、撥水処理不織布よりも親水処理不織布である方が好ましい。親水処理不織布としては、前述したもののほかにも、例えば、天然繊維、合成繊維、再生繊維などを原料として、適宜の加工法によって得られたものや、目付け量を抑えて通気性をもたせたものなどを例示することができる。
【００５５】
（伸縮素材５１）
伸縮素材５１の素材は、伸縮性を有するものであればよく、その種類は特に限定されない。ただし、シート素材Ｓの形状変化に追従する弾性を有するものであるのが好ましく、例えば、伸縮ホットメルト、伸縮フィルム、糸ゴム、平ゴム等を例示することができる。また、素材としては、例えば、スチレン系、オレフィン系、ウレタン系、エステル系のゴムや、ポリウレタン、ポリエチレン、ポリスチレン、スチレンブタジエン、シリコン、ポリエステル等の発泡体などを例示することができる。
【産業上の利用可能性】
【００５６】
本発明は、生理用ナプキン、尿取りパッド、失禁パッドのような、パッド型の吸収性物品に適用することができる。
【図面の簡単な説明】
【００５７】
【図１】生理用ナプキンの表面側平面図である。
【図２】生理用ナプキンの裏面側平面図である。
【図３】生理用ナプキンの断面模式図である。
【図４】生理用ナプキンの断面模式図である。
【図５】カバーフラップ部の平面模式図である。
【図６】カバーフラップ部の断面模式図である。
【符号の説明】
【００５８】
１…生理用ナプキン、２…裏面シート、３…トップシート、６…サイドシート、５１…伸縮素材、ＡＢ…吸収体、Ｆ１…折返しフラップ部、Ｆ２…カバーフラップ部、Ｈ…本体部、Ｓ…シート素材。
【図１】
2005287843.tif 000003
【図２】
2005287843.tif 000004
【図３】
2005287843.tif 000005
【図４】
2005287843.tif 000006
【図５】
2005287843.tif 000007
【図６】
2005287843.tif 000008